(57)【要約】【課題】折り畳んで占有空間を小さくすることができる折り畳み式塵取り構造を提供する。【解決手段】折り畳み式塵取り構造は、杆体、パイプ１４１、枢着片１４２及び収納部１４０を備える。収納部１４０の側辺中央部には、枢着片１４２を収容して係合固定する凹溝１４０１が形成される。枢着片１４２は、弧状溝を呈し、スライダー１４２１を内壁面に有する。スライダー１４２１の中央部には、パイプ１４１のピン１４１０が嵌着される係合孔１４２３が形成され、収納部１４０にパイプ１４１が枢着されて収納部１４０に折曲げ角度が形成される。スライダー１４２１は、底端に形成された位置決め孔１４２２と、上端部に形成された傾斜凹部とを有し、両端にパイプ１４１のスライドブロックがそれぞれ係合され、収納部１４０がパイプ１４１に対して平行に設置されるか垂直に設置される。パイプ１４１は、係止孔を有する中空管状である。【選択図】図２
0003227774.tif 000002
【実用新案登録請求の範囲】
【請求項１】
杆体、パイプ、枢着片及び収納部を備えた、折り畳み式塵取り構造であって、
前記収納部は、収容溝であり、前記収納部の側辺中央部には、前記枢着片を収容して係合固定する凹溝が形成され、
前記枢着片は、弧状溝を呈し、スライダーを内壁面に有し、前記スライダーの中央部には、前記パイプのピンが嵌着される係合孔が形成され、前記収納部に前記パイプが枢着されて前記収納部に折曲げ角度が形成され、
前記スライダーは、底端に形成された位置決め孔と、上端部に形成された傾斜凹部と、を有し、両端に前記パイプのスライドブロックがそれぞれ係合され、前記収納部が前記パイプに対して平行に設置されるか垂直に設置され、
前記パイプは、係止孔を有する中空管状であり、両側に延びた前記ピンが底部に延設され、前記ピンの下方には、左右に突出した前記スライドブロックが設けられ、
前記スライドブロックは、可撓性を有するため、前記枢着片の前記スライダー上で移動可能であり、
前記杆体には、前記パイプの前記係止孔に係合されるストッパが設けられることを特徴とする、折り畳み式塵取り構造。
【請求項２】
前記収納部の頂面には、毛髪を梳き取る鋸歯部が内方に延びて延設されていることを特徴とする請求項１に記載の折り畳み式塵取り構造。
【請求項３】
前記杆体の把持部には、箒を収容する嵌合溝が設けられ、
前記箒は、柄及び穂先部により構成され、
前記柄は、頂端に設けられたハンドル部と、底端に設けられたストッパと、を有し、
前記ストッパは、前記穂先部から上方に延びた前記パイプの前記係止孔に係合されることを特徴とする請求項１に記載の折り畳み式塵取り構造。
【考案の詳細な説明】
【技術分野】
【０００１】
本考案は、折り畳み式塵取り構造に関するものである。
【背景技術】
【０００２】
図１に示すように、従来の清掃用具は、箒２０及び塵取り２１を含む。実際に包装する場合、一般に箒２０及び塵取り２１を一緒に箱に収容して清掃用具２を構成していたため、消費者は全体を購入することが容易であったが、箒２０及び塵取り２１が細長かったため、箒２０の穂先２０１及び塵取り２１の収納部２１１が広くて厚かった。そのため、包装した後、空隙が大きくなって占有空間が大きくなり、運送に係るコストが増える上、不便でもあった。
【０００３】
また収納するときは、箒２０のハンドルを把持部２１２の環溝２１２０内に係入して固定し、箒２０及び塵取り２１を一緒に据え置くことができたが、塵取り２１の収納部２１１が広くて厚かったため、占有空間が依然として大きく、収納の利便性及び外観が理想的ではなかった。
【考案の概要】
【考案が解決しようとする課題】
【０００４】
本考案の目的は、折り畳んで占有空間を小さくすることができる、折り畳み式塵取り構造を提供することにある。
【課題を解決するための手段】
【０００５】
本考案の塵取りは、杆体、パイプ、枢着片及び収納部により構成され、杆体の頂端には把持部が設けられ、底端にストッパが設けられ、収納部上のパイプの係止孔にストッパが係合固定されて構成される。収納部は、収容溝であり、地面又は床上の塵及びごみを集め、収納部の側辺中央部には、枢着片を収容して係合固定する凹溝が形成されている。パイプのピンは、枢着片の係合孔に嵌挿され、パイプが収納部上に可動可能に枢着され、枢着片の壁面にスライダーが設けられ、スライダー上の位置決め孔及び傾斜凹部にスライドブロックがそれぞれ嵌挿され、収納部が水平又は垂直に収納され、収納部の頂面に歯部が延設され、歯部により箒の穂先を梳き取り、箒に付着した毛髪を収納部内に収納し、箒上の毛髪を効果的に除去することができる。
【０００６】
本考案の塵取りは、杆体と収納部とに分解可能であり、箒が柄及び穂先部により構成され、清掃用具の柄、穂先部、杆体及び収納部がそれぞれ独立した部材である。そのため箒及び塵取りのいずれか１つの部品が損壊しても、全体を交換せずに損壊した部品だけを交換して使用し続けることができる。
【０００７】
本考案の塵取りには、折り曲げ角度が形成され、塵取りをパイプに対して垂直又は平行に設置することができるため、収納及び展開が容易である。塵取り及び箒の杆体は、係合方式で穂先及び収納部上に組立てることができるため、包装及び運送が容易である上、各部品は単独で交換可能であるため必ずしも全体を交換しなくとも良い。また、収納部は折り曲げて収納することができるため、占有空間が小さくなり、実用的である。
【図面の簡単な説明】
【０００８】
【図１】従来の塵取り及び箒を示す斜視図である。
【図２】本考案の一実施形態に係る塵取りを示す分解斜視図である。
【図３】本考案の一実施形態に係る収納部を示す部分拡大図である。
【図４】本考案の一実施形態に係るパイプが枢着される収納部を示す分解斜視図である。
【図５】本考案の一実施形態に係るスライドブロックを係合固定する状態を示す断面図である。
【図６】本考案の一実施形態に係る収納部を折り畳む状態を示す説明図である。
【図７】本考案の一実施形態に係る塵取りを折り畳んだ状態を示す斜視図である。
【図８】本考案の一実施形態に係る清掃用具を組立てる状態を示す説明図である。
【図９】本考案の一実施形態に係るストッパを係合する状態を示す断面図である。
【図１０】本考案の一実施形態に係る清掃用具を示す斜視図である。
【図１１】本考案の一実施形態に係る塵取りから毛髪を掻き取る動作状態（１）を示す説明図である。
【図１２】本考案の一実施形態に係る塵取りから毛髪を掻き取る動作状態（２）を示す説明図である。
【考案を実施するための形態】
【０００９】
図２及び図３を参照する。図２及び図３に示すように、本考案の一実施形態に係る折り畳み式塵取り構造の塵取り１４は、少なくとも杆体１４４、パイプ１４１、枢着片１４２及び収納部１４０から構成されてなる。収納部１４０は、収容溝であり、地面又は床上の塵及びごみを収納し、収納部１４０の側辺中央部には、枢着片１４２を収容して係合固定する凹溝１４０１が形成されている。枢着片１４２は、弧状溝を呈し、スライダー１４２１を内壁面に有する。スライダー１４２１の中央部には、パイプ１４１のピン１４１０を嵌着させる係合孔１４２３が形成されている。スライダー１４２１は、底端に位置決め孔１４２２が形成され、上端部に傾斜凹部１４２４が形成される。スライダー１４２１の両端には、パイプ１４１のスライドブロック１４１２がそれぞれ係合される。パイプ１４１は、中空管状であり、両側に延びたピン１４１０が底部に延設されている。ピン１４１０の下方には、左右に突出したスライドブロック１４１２が設けられる。杆体１４４は、パイプ１４１上に係合される。
【００１０】
図２及び図４を参照する。図２及び図４に示すように、まず、枢着片１４２を収納部１４０の凹溝１４０１内に嵌挿してから、パイプ１４１のピン１４１０を枢着片１４２の係合孔１４２３上に嵌挿させ、収納部１４０のスライダー１４２１を移動させると、パイプ１４１のスライドブロック１４１２上に係合される。
【００１１】
図５及び図６を参照する。図５及び図６に示すように、本考案の一実施形態に係る折り畳み式塵取り構造を平らに置くと、収納部１４０がパイプ１４１に対して垂直である場合、パイプ１４１のスライドブロック１４１２が位置決め孔１４２２上に係合され、実際に折り畳むときは、収納部１４０を上方へ揺動させ、スライドブロック１４１２を位置決め孔１４２２から外す。また、スライドブロック１４１２が可撓性を有するため、スライドブロック１４１２の移動に伴い、スライドブロック１４１２が上端部の傾斜凹部１４２４上に係合され、収納部１４０がパイプ１４１に対して平行となり（図７を参照する）、収納部１４０の幅が小さくなり、折り畳んで収納することができる上、見た目も良い。
【００１２】
図８を参照する。図８に示すように、本考案の一実施形態に係る折り畳み式塵取り構造の塵取り１４は、杆体１４４と収納部１４０とが分離可能であり、箒１０は、柄１１と穂先部１２とにより構成されている。塵取り１４は、頂端に把持部１４４１が設けられるとともに、箒１０を収容する嵌合溝１４４３が延設されている。塵取り１４の底端には、パイプ１４１の係止孔１４１１を係合するストッパ１４４２が設けられる（図９を参照する）。柄１１は、頂端に設けられたハンドル部１１１と、底端に設けられたストッパ１１２と、を有する。ストッパ１１２は、穂先部１２から上方に延びたパイプ１２１の係止孔１２１１に係合され、箒１０が構成される。収納部１４０の頂面には、毛髪３を梳き取る鋸歯部１４３が内方に延びて延設されているため（図示せず）、清掃用具１の柄１１、穂先部１２、杆体１４４及び収納部１４０は各自独立した部品である。そのため箒１０及び塵取り１４のいずれか１つの部品が損壊しても、全体を交換せずに損壊した部品だけを交換して使用し続けることができる。
【００１３】
図１１及び図１２を参照する。図１１及び図１２に示すように、実際の使用では、箒１０を使用すると、穂先部１２上に付着した多くの毛髪３が残留してしまい落とすことが容易でないが、穂先部１２を収納部１４０の鋸歯部１４３上に置いてから穂先部１２を上方へ移動させて鋸歯部１４３で梳くと、穂先部１２上に付着した毛髪３が鋸歯部１４３上に留まるため、穂先部１２上の毛髪３をきれいに除去することができる。
【００１４】
上述したことから分かるように、本考案の折り畳み式塵取り構造は、収納部を上方に折り曲げて任意の角度にすることができ、パイプに対して垂直又は平行にすることができるため収納部の幅が小さくなり、塵取り及び箒の部品が分解可能で、包装、運送、販売などが容易で、部品が簡素で組み立てし易い上、鋸歯部により毛髪を梳き取ることができるため、実用的で見た目が良く、収納しやすい。
【符号の説明】
【００１５】
１  清掃用具
２  清掃用具
３  毛髪
１０  箒
１１  柄
１２  穂先部
１４  塵取り
２０  箒
２１  塵取り
１１１  ハンドル部
１１２  ストッパ
１２１  パイプ
１４０  収納部
１４１  パイプ
１４２  枢着片
１４３  鋸歯部
１４４  杆体
２０１  穂先
２１１  収納部
２１２  把持部
１２１１  係止孔
１４０１  凹溝
１４１０  ピン
１４１１  係止孔
１４１２  スライドブロック
１４２１  スライダー
１４２２  位置決め孔
１４２３  係合孔
１４２４  傾斜凹部
１４４１  把持部
１４４２  ストッパ
１４４３  嵌合溝
２１２０  環溝
【図１】
0003227774.tif 000003
【図２】
0003227774.tif 000004
【図３】
0003227774.tif 000005
【図４】
0003227774.tif 000006
【図５】
0003227774.tif 000007
【図６】
0003227774.tif 000008
【図７】
0003227774.tif 000009
【図８】
0003227774.tif 000010
【図９】
0003227774.tif 000011
【図１０】
0003227774.tif 000012
【図１１】
0003227774.tif 000013
【図１２】
0003227774.tif 000014